(57)【要約】【課題】蓄電装置の外装体の側壁部のたわみを抑制することができる構造の蓄電装置を提供することにある。【解決手段】蓄電素子４００と、底面２３５と、底面２３５からＺ軸方向に沿って上側に延びる側壁部２３１とを少なくとも有する外装体２００と、蓄電素子４００と当接するセルフレーム３００と、を備え側壁部２３１は、上側の端部が、蓄電素子４００の上側の端部よりも、上側の領域である第一領域Ａ１に位置するように形成され、セルフレーム３００は、蓄電素子４００の容器４１０の上側において、蓄電素子４００の容器４１０の外周と側壁部２３１との間に入り込む挿入部３０１と、上側に延びており、第一領域Ａ１において側壁部２３１と対向する支持部３０２とを有する。【選択図】図５
2014197513.tif 000002
【特許請求の範囲】
【請求項１】
蓄電素子と、
底面と、前記底面から前記底面に交差する第一方向の一方側に延びる側壁部とを少なくとも有する外装体と、
前記蓄電素子に当接する当接部材と、
を備え、
前記側壁部は、前記第一方向の一方側の端部が、前記蓄電素子の前記第一方向の一方側の端部よりも、前記第一方向の一方側の領域である第一領域に位置するように形成され、
前記当接部材は、
前記蓄電素子の容器の前記第一方向の一方側において、前記蓄電素子の容器の外周と前記側壁部との間に入り込む挿入部と、
前記第一方向の一方側に延びており、前記第一領域において前記側壁部と対向する支持部とを有する
蓄電装置。
【請求項２】
前記外装体は、さらに、前記側壁部と嵌合する嵌合部を有する蓋体を有する
請求項１に記載の蓄電装置。
【請求項３】
前記外装体は、少なくとも、互いに対向する一対の前記側壁部を有し、
前記当接部材の前記支持部は、前記第一領域において前記一対の側壁部を支持する
請求項１または２に記載の蓄電装置。
【請求項４】
前記挿入部は、前記第一方向の他方側に向かうほど、厚みが薄い
請求項１から３のいずれか１項に記載の蓄電装置。
【請求項５】
前記当接部材は、さらに、
前記蓄電素子を前記第一方向の一方側から押さえる平面部であって、前記第一方向に交差する平面部を有し、
前記支持部は、前記平面部および前記第一方向に交差する傾斜面を有する
請求項１から４のいずれか１項に記載の蓄電装置。
【請求項６】
前記挿入部は、前記蓄電素子の容器の前記第一方向の一方側の一部において、前記蓄電素子の容器の外周と前記側壁部との間に圧入されている
請求項１から５のいずれか１項に記載の蓄電装置。
【発明の詳細な説明】
【技術分野】
【０００１】
本発明は、蓄電素子が外装体に収納されることによりなる蓄電装置に関する。
【背景技術】
【０００２】
従来、特許文献１に示すような、複数の単電池が外装体に収納されてなる蓄電装置がある。このような蓄電装置の外装体は、複数の単電池を収納するための収納空間を形成し、かつ、開口を有する。外装体は、典型的には六面体の一面を除く箱状の部材であり、より具体的には、長方形状の底面から底面に垂直な方向に４つの側壁部が延びる構造である。
【先行技術文献】
【特許文献】
【０００３】
【特許文献１】特許第４６３８５２８号公報
【発明の概要】
【発明が解決しようとする課題】
【０００４】
特許文献１の技術では、外装体は、複数の単電池を収納する空間を形成しているため、比較的大きなサイズである。つまり、外装体は、面積が比較的大きい側壁部を有する。このため、側壁部の単電池と対向する部分は、単電池により支えられるためたわみにくいが、側壁部の単電池と対向していない部分（つまり、単電池よりも外側に拡がっている部分）は、単電池に支えられていないため外力によりたわみやすい。
【０００５】
そこで、本発明は、このような状況に鑑みてなされたものであり、蓄電装置の外装体の側壁部のたわみを抑制することができる構造の蓄電装置を提供することを目的とする。
【課題を解決するための手段】
【０００６】
上記目的を達成するために、蓄電素子と、底面と、前記底面から前記底面に交差する第一方向の一方側に延びる側壁部とを少なくとも有する外装体と、前記蓄電素子に当接する当接部材と、を備え、前記側壁部は、前記第一方向の一方側の端部が、前記複数の蓄電素子の前記第一方向の一方側の端部よりも、前記第一方向の一方側の領域である第一領域に位置するように形成され、前記当接部材は、前記複数の蓄電素子の容器の前記第一方向の一方側において、前記複数の蓄電素子の容器の外周と前記側壁部との間に入り込む挿入部と、前記第一方向の一方側に延びており、前記第一領域において前記側壁部と対向する支持部とを有する。
【０００７】
これによれば、第一領域の位置において支持部が外装体の側壁部を支持しているため、外装体の側壁部がたわむことを抑制することができる。
【０００８】
また、前記外装体は、さらに、前記側壁部と嵌合する嵌合部を有する蓋体を有してもよい。
【０００９】
これによれば、外装体は、開口部を有する外装体本体と、外装体本体の開口部の内周縁に嵌合する嵌合部を有する蓋体とにより構成される。このような構成の外装体であっても、支持部が外装体の側壁部のたわみを抑制できるため、外装体本体と蓋体との組み付けを容易にすることができる。
【００１０】
また、前記外装体は、少なくとも、互いに対向する一対の前記側壁部を有し、前記当接部材の前記支持部は、前記第一領域において前記一対の側壁部を支持してもよい。
【００１１】
これによれば、支持部は、互いに対向する一対の側壁部を支持するため、支持部が形成される１つの当接部材によって２つの側壁部のたわみを抑制できる。このため、１つの側壁部に対して複数の当接部材を設けなくてもよく、部品点数を削減できる。
【００１２】
また、前記挿入部は、前記第一方向の他方側に向かうほど、厚みが薄くてもよい。
【００１３】
これによれば、挿入部は第一方向の他方側に向かうほど厚みが薄いため、当接部材を複数の蓄電素子の第一方向の一方側の外周と、側壁部との間に挿入しやすくすることができる。このため、外装体に複数の蓄電素子を配置した状態で、当接部材を配置しやすくすることができる。
【００１４】
また、前記当接部材は、さらに、前記複数の蓄電素子を前記第一方向の一方側から押さえる平面部であって、前記第一方向に交差する平面部を有し、前記支持部は、前記平面部および前記第一方向に交差する傾斜面を有してもよい。
【００１５】
これによれば、傾斜面が、支持部と平面部とに交差するように形成されている。このため、支持部が平面部に対して、支持部と平面部とが交差する部分を軸として、回転することを防ぐことができる。つまり、外装体の側壁部がたわむことをより確実に抑制することができる。
【００１６】
また、前記挿入部は、前記複数の蓄電素子の容器の前記第一方向の一方側の一部において、前記複数の蓄電素子の容器の外周と前記側壁部との間に圧入されていてもよい。
【００１７】
これによれば、挿入部が、複数の蓄電素子の容器の第一方向の一方側において、複数の蓄電素子の外周と側壁部との間に圧入されているため、当接部材を配置したときに、複数の蓄電素子の容器および外装体の側壁部の少なくとも一方に力を加えた状態で固定することができる。
【発明の効果】
【００１８】
本発明に係る蓄電装置によれば、蓄電装置の外装体の側壁部のたわみを抑制することができる。
【図面の簡単な説明】
【００１９】
【図１】本発明の実施の形態に係る蓄電装置の斜視図である。
【図２】蓄電装置の分解斜視図である。
【図３】一つの蓄電素子を外装体本体に固定するための構成を示す分解斜視図である。
【図４】複数の蓄電素子をセルフレームで外装体本体に固定した状態を示す斜視図である。
【図５】図４の複数の蓄電素子をセルフレームで外装体本体に固定した組立体のＶ−Ｖ断面図である。
【発明を実施するための形態】
【００２０】
（本発明の基礎となった知見）
本発明者は、「背景技術」の欄において記載した、蓄電装置に関して以下の問題が生じることを見出した。
【００２１】
具体的には、例えば、特許文献１の技術では、外装体本体の内部に単電池を収納しているため、外装体本体の単電池が収納される部分までは、単電池によって支えられる。このため外装体本体のたわみを抑制することができる。しかしながら、単電池よりも上の部分では、外装体本体の側壁部を支える部材がないため、外装体本体の側壁部のたわみを抑制することができない。
【００２２】
このように、外装体本体の側壁部のたわみが発生した場合、蓄電装置の外見が悪くなるばかりでなく、次のような組み付けの際の問題が生じる。例えば、外装体本体に複数の単電池、複数の単電池を規制するための規制部材（中蓋）、外装体本体の開口を塞ぐための上蓋などの組み付けを行う際に、開口部がたわみの影響で狭くなっているため、狭くなっている開口部を拡げてから組み付けする必要がある。このため、単電池および中蓋を挿入する組み付け、および、上蓋を外装体本体の開口部に嵌合させる組み付け組み付けに手間がかかり生産効率が低下するという問題がある。一方で、側壁部の剛性をおおきくすることにより外装体本体の側壁部のたわみを抑制しようとすれば、材料の一部を金属部材のような剛性の大きい材料にしたり、側壁部の厚みを厚くしたりする必要があり、製造コストが大きくなってしまう。
【００２３】
このような問題についても解決するために、本発明の一態様に係る蓄電装置は、組み付けの手間を軽減し、かつ、製造コストを抑えつつ、外装体の側壁部のたわみを抑制するために以下で説明する構成としている。
【００２４】
以下、実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００２５】
（実施の形態）
図１は、本発明の実施の形態に係る蓄電装置の斜視図である。図２は、蓄電装置の分解斜視図である。
【００２６】
これらの図に示すように、蓄電装置１００は、外装体２００と、セルフレーム３００と、複数（本実施の形態では４つ）の蓄電素子４００とを備える。
【００２７】
外装体２００は、セルフレーム３００と複数の蓄電素子４００とを収納する箱状の部材である。つまり、外装体２００は、底面２３５（図５を参照）と、側壁部２３１〜２３４と、を有する。また、外装体２００は、複数の蓄電素子４００を収納する収納空間Ｓ１を形成する。外装体２００は、複数の蓄電素子４００を所定の位置に配置し、各蓄電素子４００を衝撃などから保護し、各蓄電素子４００が不本意に金属部材などに接触することを回避する外装体本体２２０と、蓋体２１０とを有する。外装体２００は、絶縁性の材料、例えば樹脂などにより構成されている。また、外装体２００は、外部正極端子１１０および外部負極端子１２０を有する。外部正極端子１１０および外部負極端子１２０は、外部の負荷へ蓄電装置１００に蓄えられた電力を供給するために外部負荷に接続される端子、または、外部の電力源から供給される電力を蓄電装置１００に蓄えるために外部電源に接続される端子である。
【００２８】
蓋体２１０は、トップカバー２１１と、蓋本体２１３とにより構成される。蓋体２１０には、トップカバー２１１と、蓋本体２１３との間に空間が形成されており、当該空間の内部に制御回路２１２が収納される。
【００２９】
外装体本体２２０は、底面２３５および側壁部２３１〜２３４を有し、側壁部２３１〜２３４により開口部２２５が形成される。外装体本体２２０は、互いに対向する一対の側壁部２３１、２３２と、一対の側壁部２３３、２３４とを有する。一対の側壁部２３１、２３２は、第一方向としてのＺ軸方向（上下方向）に延びるとともに、Ｚ軸方向と交差する（本実施の形態では直交する）第二方向としてのＸ軸方向に沿って延びている。また、一対の側壁部２３３、２３４は、Ｚ軸方向に延びるとともに、Ｚ軸方向と交差する（本実施の形態では直交する）第三方向としてのＹ軸方向に沿って延びている。外装体本体２２０は、複数の蓄電素子４００をそれぞれ収納するための複数の仕切板２２１を有する。つまり、複数の蓄電素子４００は、外装体本体２２０に形成される収納空間Ｓ１が複数の仕切板２２１により区切られた（分割された）複数の空間に、個別に収納される。
【００３０】
セルフレーム３００は、複数の蓄電素子４００の上方に設けられる。セルフレーム３００は、複数の蓄電素子４００と当接する当接部材である。また、セルフレーム３００は、複数の蓄電素子の位置を規制する規制部材として機能してもよい。また、複数のセルフレーム３００のそれぞれは、２つの蓄電素子４００の上部を一括りに束ねる。セルフレーム３００は、絶縁性の材料、例えば樹脂などにより構成されている。
【００３１】
蓄電素子４００は、充電することができ、また、放電することができる素子であり、容器４１０と、正極端子４２０と、負極端子４３０とを有する。容器４１０は、導電性の材料（例えば金属）からなる。正極端子４２０および負極端子４３０は、容器４１０の上方に突出している。複数の蓄電素子４００は、Ｘ軸方向に一列に並べられる。複数の蓄電素子４００のそれぞれは、異極端子同士が金属製の板状部材であるバスバー３５０により電気的に接続される。つまり、複数の蓄電素子４００は、バスバー３５０により直列接続される。バスバー３５０により直列接続された複数の蓄電素子４００は、正極側が外部正極端子１１０に接続され、負極側が外部負極端子１２０に接続される。
【００３２】
図３は、一つの蓄電素子を外装体本体に固定するための構成を示す分解斜視図である。図４は、複数の蓄電素子をセルフレームで外装体本体に固定した状態を示す斜視図である。図５は、図４の複数の蓄電素子をセルフレームで外装体本体に固定した組立体のＶ−Ｖ断面図である。
【００３３】
図３〜５に示すように、セルフレーム３００は、外装体本体２２０の所定の位置に収納した蓄電素子４００を、上方から外装体本体２２０とともに挟み込む。外装体本体２２０は、複数の仕切板２２１のＹ軸方向の両端である、外装体本体２２０の側面部と仕切板２２１とが交差する位置にボス部２２２を複数有する。複数のボス部２２２の上部には、インサートナット２２４を挿入するための孔部２２３が形成されており、当該孔部２２３に後述するボルト３１０と螺合するインサートナット２２４が設けられる。セルフレーム３００は、後述する接着剤５００を介して複数の蓄電素子４００のそれぞれを複数の蓄電素子４００の並び方向（Ｘ軸方向）に交差する（本実施の形態では直交する）第一方向（Ｚ軸方向：上下方向）の両側から外装体２００の底面２３５とともに挟み込んだ状態で、複数本（本実施の形態では１０本）のボルト３１０と、外装体本体２２０に設けられるインサートナット２２４とで接合されることにより、複数の蓄電素子４００を外装体本体２２０に固定する。なお、セルフレーム３００には、複数本のボルト３１０のそれぞれに貫通される複数の貫通孔３０５が形成されている。つまり、複数本のボルト３１０は、セルフレーム３００に形成された複数の貫通孔３０５を貫通して、外装体本体２２０に設けられたインサートナット２２４と螺合することにより、セルフレーム３００および外装体本体２２０を接合する。複数本のボルト３１０とインサートナット２２４とは、セルフレーム３００および外装体本体２２０を接合するための接合部である。
【００３４】
このように、セルフレーム３００と外装体本体２２０とが、ボルト３１０とインサートナット２２４との締結により接合される構成であるとき、ボルト３１０が貫通するための複数の貫通孔３０５が支持部３０２のＸ軸方向の側方に配置されている。つまり、支持部３０２は、外装体本体２２０のＸ軸方向の幅の全体に渡って一体的に形成されておらず、複数の蓄電素子４００に対応する位置のそれぞれに分割された状態で設けられる。このため、貫通孔３０５をセルフレーム３００の支持部３０２が形成されていない位置に設けることができる。これにより、支持部が外装体本体２２０のＸ軸方向の幅の全体に渡って一体的に形成される場合よりも、支持部を貫通させる貫通孔を設けなくてもよくなり、かつ、当該貫通孔を貫通するような長いボルトも必要なくなる。つまり、支持部３０２の間に貫通孔３０５を設ける構成とすることにより、蓄電装置１００の製造に係るコストを低減させることができる。
【００３５】
なお、セルフレーム３００と外装体本体２２０との接合には、ボルト３１０とインサートナット２２４との組み合わせによる接合部が採用されているが、接合部はこれに限らない。例えば、リベットを利用して接合してもよいし、セルフレームと外装体本体とが密着する部分を設けて接着剤で接合するようにしてもよいし、セルフレームおよび外装体本体の一方に凹部、他方に凹部と嵌合する凸部を設けて凹部および凸部の嵌合（圧入による嵌合）により接合するようにしてもよいし、セルフレームと外装体本体との接合部としてスナップフィットを利用して接合するようにしてもよい。
【００３６】
蓋体２１０は、蓋本体２１３において、外装体本体２２０の開口部２２５の内周縁と嵌合する嵌合部２１３ａ（図５参照）を有し、開口部２２５を嵌合部２１３ａで塞ぐことにより外装体本体２２０とともに収納空間Ｓ１を形成する。つまり、嵌合部２１３ａは、側壁部２３１〜２３４と嵌合する。本実施の形態では、嵌合部２１３ａは、外装体本体２２０の側壁部２３１〜２３４の外装体本体２２０の外方および内方の両方から挟み込む構造である。この構成にすることにより、蓋体２１０と外装体本体２２０との間の気密性を向上させることができる。また、蓋体２１０に外装体本体２２０の側壁部２３１〜２３４を嵌合する構成であるため、蓋体２１０のたわみを抑制することができる。
【００３７】
また、外装体本体２２０の側壁部２３１〜２３４は、Ｚ軸方向の端部が、複数の蓄電素子４００の容器４１０のＺ軸方向の一方側（以下、「上側」とする）の端部よりも、上側の領域である第一領域Ａ１（つまり、図５の直線Ｌ１よりも上側の領域）に位置するように形成される。
【００３８】
セルフレーム３００は、図５に示すように、挿入部３０１と、支持部３０２と、平面部３０３とを有する。平面部３０３は、複数の蓄電素子４００の容器４１０の上面に配置される板状の部材である。つまり、平面部３０３は、複数の蓄電素子４００を上側から押さえる部材であって、Ｚ軸方向に交差する（本実施の形態では直交する）。
【００３９】
挿入部３０１は、複数の蓄電素子４００の容器４１０の上側において、複数の蓄電素子４００の容器４１０の外周と一対の側壁部２３１、２３２との間に入り込む。つまり挿入部３０１は、平面部３０３の外周縁から下側に延びており、複数の蓄電素子４００の容器４１０のＹ軸方向の外側の面と、Ｙ軸方向に面している一対の側壁部２３１、２３２との間に配置される。また、挿入部３０１は、下側に向かうほど厚みが薄くなっていることが好ましい。そして、挿入部３０１は、複数の蓄電素子４００の容器４１０の上側の一部（以下、「上部」とする）において、複数の蓄電素子４００の容器４１０の外周と一対の側壁部２３１、２３２との間に圧入されていることが好ましい。つまり、挿入部３０１は、その幅が、複数の蓄電素子４００の容器４１０の上部において、複数の蓄電素子４００の容器４１０の外周と一対の側壁部２３１、２３２との間隔よりも大きい。
【００４０】
支持部３０２は、挿入部３０１から上側に延びており、第一領域Ａ１において一対の側壁部２３１、２３２と対向する。つまり、支持部３０２は、平面部３０３の外周縁から挿入部３０１が延びている方向の反対側である上側に延びている。これにより、支持部３０２は、複数の蓄電素子４００の容器４１０の高さよりも高い位置で一対の側壁部２３１、２３２と接している。つまり、支持部３０２は、複数の蓄電素子４００の並び方向であるＸ軸方向に平行な一対の側壁部２３１、２３２を支持している。つまり、支持部３０２は、外装体２００の長側面に相当する側壁部２３１、２３２を支持している。
【００４１】
また、支持部３０２は、平面部３０３およびＺ軸方向に交差する面である傾斜面３０４を有することが好ましい。また、支持部３０２は、正極端子４２０および負極端子４３０の側方に配置されている。このため、支持部３０２は、外装体２００の側壁部２３１〜２３４に強い外力が加わったときでも、電池端子を保護することができる。また、支持部３０２は、複数の蓄電素子４００のそれぞれに対応して複数設けられているため、仮に一つの支持部３０２が強い外力によって破損しても、他の支持部３０２によって正極端子４２０および負極端子４３０を保護することができる。
【００４２】
また、支持部３０２の高さは、蓋体２１０に接触しない高さであることが好ましい。また、支持部３０２は、さらに蓋体２１０の嵌合部２１３ａの位置よりも低い高さであることがより好ましい。これにより、支持部３０２を干渉しない位置に形成することができるため、蓋体２１０を組み付けしやすくできる。
【００４３】
（特徴）
本実施の形態に係る蓄電装置１００によれば、第一領域Ａ１の位置においてセルフレーム３００の支持部３０２が外装体２００の一対の側壁部２３１、２３２を支持しているため、外装体２００の一対の側壁部２３１、２３２が収納空間Ｓ１のたわむことを抑制することができる。
【００４４】
また、従来から使用されている規制部材としてのセルフレーム３００の形状を工夫することにより、外装体２００の一対の側壁部２３１、２３２のたわみを抑制できるため、組み付けの手順を従来と同様とすることができ、かつ、たわみ抑制のための部品を増加させる必要が無い点で有用である。
【００４５】
また、本実施の形態に係る蓄電装置１００によれば、外装体２００は、開口部２２５を有する外装体本体２２０と、外装体本体２２０の開口部２２５の内周縁に嵌合する嵌合部２１３ａを有する蓋体２１０とにより構成される。上述したようにセルフレーム３００を設置した後に、外装体本体２２０の開口部２２５のたわみを抑制できるため、蓋体２１０を外装体本体２２０への組み付けの手間を軽減することができる。つまり、蓋体２１０と外装体本体２２０との組み合わせからなる外装体２００であっても、セルフレーム３００に形成された支持部３０２が外装体２００の一対の側壁部２３１、２３２のたわみを抑制できるため、外装体本体２２０と蓋体２１０との組み付けを容易にすることができる。これにより、蓄電装置１００の製造コストを抑えつつ、生産性を向上することができる。また、外装体２００の一対の側壁部２３１、２３２がたわむことによる外見が悪くなることを抑制することができる。
【００４６】
また、本実施の形態に係る蓄電装置１００によれば、セルフレーム３００の支持部３０２は、互いに対向する一対の側壁部２３１、２３２を支持するため、支持部３０２が形成される１つのセルフレーム３００によって２つの側壁部２３１、２３２のたわみを抑制できる。このため、１つの側壁部に対して１つずつ規制部材を設けなくてもよく、部品点数を削減できる。
【００４７】
また、本実施の形態に係る蓄電装置１００によれば、セルフレーム３００の挿入部３０１は下側に向かうほど厚みが薄いため、セルフレーム３００を複数の蓄電素子４００の上側の外周と、一対の側壁部２３１、２３２との間に挿入しやすくすることができる。このため、外装体２００に複数の蓄電素子４００を配置した状態で、セルフレーム３００を配置しやすくすることができる。
【００４８】
また、本実施の形態に係る蓄電装置１００によれば、セルフレーム３００の支持部３０２が有する傾斜面３０４が、支持部３０２と平面部３０３とに交差するように形成されている。このため、支持部３０２が平面部３０３に対して、支持部３０２と平面部３０３とが交差する部分を軸として、回転することを防ぐことができる。つまり、外装体２００の一対の側壁部２３１、２３２が内方へたわむことをより確実に抑制することができる。
【００４９】
また、本実施の形態に係る蓄電装置１００によれば、セルフレーム３００の挿入部３０１が、複数の蓄電素子４００の容器４１０の上側において、複数の蓄電素子４００の外周と一対の側壁部２３１、２３２との間に圧入されているため、セルフレーム３００を配置したときに、複数の蓄電素子４００の容器４１０および外装体２００の一対の側壁部２３１、２３２の少なくとも一方に力を加えた状態で固定することができる。
【００５０】
（変形例）
以上、本発明の部品実装方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【００５１】
（１）
上記実施の形態に係る蓄電装置１００によれば、セルフレーム３００の支持部３０２は、Ｙ軸方向に面している一対の側壁部２３１、２３２に対して設けられているが、これに限らない。つまり、Ｘ軸方向に面している一対の側壁部２３３、２３４に対して設けられるようにしてもよい。また、セルフレーム３００の支持部３０２は、一つの側壁部に対して設けられても、一つの側壁部のたわみを抑制できるという点で効果がある。
【００５２】
（２）
上記実施の形態に係る蓄電装置１００によれば、嵌合部２１３ａは外装体本体２２０の側壁部２３１〜２３４を外装体本体２２０の外方および内方の両方から挟み込む構造であるが、これに限らない。例えば、外装体本体２２０の側壁部２３１〜２３４の内面に嵌合する構造の嵌合部としてもよいし、外装体本体２２０の側壁部２３１〜２３４の外面に嵌合する構造の嵌合部としてもよい。また、一対の側壁部２３１、２３２および一対の側壁部２３３、２３４のいずれかに嵌合する構造であればよい。
【００５３】
（３）
上記実施の形態に係る蓄電装置１００によれば、支持部３０２は、一対の側壁部２３１、２３２を支持しているが、必ずしも支持している状態でなくてもよい。つまり、外装体本体の一対の側壁部に接した状態でなくてもよく、側壁部がたわむことを防止できる位置に配置されていればたわみ抑制の効果を実現できるためこの限りではない。
【産業上の利用可能性】
【００５４】
本発明は、外装体の側壁部のたわみを抑制することができる蓄電装置として有用である。
【符号の説明】
【００５５】
１００  蓄電装置
１１０  外部正極端子
１２０  外部負極端子
２００  外装体
２１０  蓋体
２１１  トップカバー
２１２  制御回路
２１３  蓋本体
２１３ａ  嵌合部
２２０  外装体本体
２２１  仕切板
２２２  ボス部
２２３  孔部
２２４  インサートナット
２２５  開口部
２３１、２３２、２３３、２３４  側壁部
２３５  底面
３００  セルフレーム
３０１  挿入部
３０２  支持部
３０３  平面部
３０４  傾斜面
３０５  貫通孔
３５０  バスバー
４００  蓄電素子
４１０  容器
４２０  正極端子
４３０  負極端子
【図１】
2014197513.tif 000003
【図２】
2014197513.tif 000004
【図３】
2014197513.tif 000005
【図４】
2014197513.tif 000006
【図５】
2014197513.tif 000007